(57)【要約】【課題】  コンバージョンレンズ等のアクセサリ用アダプタ装着時に発生する撮影での弊害を自動的に補正して適正な撮影を可能にしたカメラを提供する。【解決手段】  カメラボディ１にアクセサリ用のアダプタ１２が装着可能で、装着されたアダプタによって光路が遮られることにより正常動作が阻害される装置を含むカメラであって、アダプタが装着されたことを検知スイッチ１３で検知し、アダプタの装着を検知したときにＣＰＵにより装置の設定を変更する。アダプタが装着されたときに各装置で使用する光がアダプタによって遮光されることによる各装置の不適正な制御を未然に防止し、適正な撮影を確保する。【選択図】  図２
2005316227.tif 000002
【特許請求の範囲】
【請求項１】
カメラボディの前面に設けられたマウント部を利用してアクセサリ用のアダプタが装着可能で、前記カメラボディに設けられた装置のうち装着されたアダプタによって光路が遮られることにより正常動作が阻害される装置を含むカメラであって、前記アダプタが装着されたことを検出するアダプタ検出手段と、前記アダプタ検出手段が前記アダプタの装着を検出したときに前記装置の設定を変更する制御手段とを備えることを特徴とするカメラ。
【請求項２】
前記カメラの測距装置として前記カメラボディの前面に配設された外部測距装置と、前記カメラのレンズの光学系内に設けられたＴＴＬ測距装置とを備え、前記制御手段はアダプタの装着を検出したときに前記外部測距装置での測距を禁止することを特徴とする請求項１に記載のカメラ。
【請求項３】
前記カメラボディの前面に配設されて前記外部測距装置と前記ＴＴＬ測距装置の各測距を行うときに補助光を発光する補助光源を備え、前記制御手段はアダプタの装着を検出したときに前記補助光源の発光を禁止することを特徴とする請求項１又は２に記載のカメラ。
【請求項４】
前記カメラのファインダ装置として前記カメラボディの前面に配設された光学ファインダと、前記カメラボディに設けられて撮影する被写体画像を表示するモニタとを備え、前記制御手段はアダプタの装着を検出したときに強制的にモニタに被写体画像を表示することを特徴とする請求項１に記載のカメラ。
【請求項５】
前記制御手段はカメラに対する任意の設定により、前記モニタに被写体画像を表示した後、当該表示を禁止することが可能であることを特徴とする請求項４に記載のカメラ。
【請求項６】
前記カメラボディの前面に配設されたストロボ装置を備え、前記制御手段はアダプタの装着を検出したときに前記ストロボ装置での通常発光を禁止することを特徴とする請求項１に記載のカメラ。
【請求項７】
前記制御手段は通常発光を禁止する際には当該カメラに設定されている発光モードを判定し、当該モードが発光モードに設定されているときにはソフト発光を行うことを特徴とする請求項６に記載のカメラ。
【請求項８】
前記アダプタ検出手段は、前記マウント部に設けられ、前記アダプタが装着されたときに切替動作される検知スイッチを備えることを特徴とする請求項１ないし７のいずれかに記載のカメラ。
【請求項９】
前記マウント部には当該マウント部を覆い隠す化粧リングが装着可能であり、前記検知スイッチは前記化粧リングが装着されたときにはオフであり、前記アダプタが装着されたときにオンするように構成されていることを特徴とする請求項８に記載のカメラ。
【発明の詳細な説明】
【技術分野】
【０００１】
本発明はフィルタやコンバージョンレンズ等のいわゆるアクセサリを取り付けるためのアダプタを着脱可能に構成したカメラに関し、特にアダプタを装着したときの最適撮影を確保したカメラに関するものである。
【背景技術】
【０００２】
一眼レフカメラ等のように口径の大きなレンズを使用するカメラでは、当該レンズの鏡筒にフィルタやコンバージョンレンズ等のアクセサリを装着することが可能であるが、レンズの鏡筒にこれらアクセサリを直接に取り付けることができないカメラ、例えば、レンズの口径が小さいレンズシャッターカメラや、レンズをカメラボディから出没させる沈胴式レンズのカメラでは、カメラボディに対してアダプタを着脱可能にし、装着したアダプタを利用してアクセサリを取り付ける構成がとられている。例えば、図１はこの種のカメラの概念構成図であり、カメラボディ１の前面に沈胴式のレンズ２を配設したカメラの例である。このカメラでは、レンズ２の口径が小さいためレンズ鏡筒の前端部に直接アクセサリを取り付けることはできない。そのため、カメラボディ１の前面にレンズ２の周囲に沿ってバヨネット構造のマウント部３を設けておき、このマウント部３を利用して筒状のアダプタ１２を装着可能にしている。このマウント部３はアクセサリを取り付けないときには円環状をした化粧リング１１を装着して覆い隠される。アクセサリを取り付けるときには当該化粧リング１１を取り外し、代わりに円筒状をしたアダプタ１２を装着する。このアダプタの前端部には、フィルタや、テレ（望遠）あるいはワイド（広角）のコンバージョンレンズを交換して取り付けることができるようになっている。これにより、撮影した画像に対するフィルタ効果が得られ、あるいはテレ、ワイドの撮影が可能になる。
【０００３】
このようなアダプタをカメラボディに装着すると、装着したアダプタの一部が図１に示したカメラボディ１の上部に配設されているストロボ装置８の光照射領域、外部測距装置７の測距領域、光学ファインダ装置６の視野領域内に入り、これら装置から出射する光や受光する光がアダプタ１２によって遮光され、装置における死角部分、いわゆる「蹴られ」が生じ、適正なストロボ光照射、適正な測距、適正なファインダ視野が得られなくなる。そのため、アダプタを装着したときにはストロボ装置、外部測距装置、光学ファインダ装置を使用しないで撮影を行うように撮影者が手操作で設定を変更することが好ましいが、設定を変更する操作が面倒であったり、設定を忘れたときには適正な撮影を行うことができなくなる。
【０００４】
この問題に対しては、特許文献２に記載の技術のように、アダプタを装着したときにストロボ発光を禁止して不適正なストロボ照射を未然に防止する技術を採用することが考えられる。特許文献２では、カメラにワイド・コンバータを装着して撮影領域を拡大したときに、当該撮影領域の一部がストロボ光が照射されなくなることを防止するために、ストロボ発光を禁止している。具体的にはワイド・コンバータが装着されたことを制御回路が電気的に検出し、制御回路においてストロボ回路を制御してストロボ発光を禁止している。
【特許文献１】特開２０００−３３０１７９号公報
【特許文献２】特開平６−１９４７２２号公報
【発明の開示】
【発明が解決しようとする課題】
【０００５】
特許文献２の技術は、ワイド・コンバータを装着したときの広い撮影画角に対してストロボ装置で発光された光が撮影画角の全領域にまで照射されないことによる不適切な撮影が生じることを未然に防止するために、ワイド・コンバータを装着したときにストロボ発光を禁止する技術である。そのため、この技術を図１に示したようなカメラにそのまま適用するだけでは、測距装置での適正な測距や光学ファインダでの適正なファインダ表示を確保することができず、適正な画角で合焦した撮影ができないという弊害が生じることになる。特に、特許文献２では、アダプタとしてテレ・コンバータを装着した場合にはストロボ発光を禁止する必要がないが、図１に示したカメラではテレ・コンバージョンレンズやフィルタの場合でも同様な問題が生じるため、特許文献２の技術のみでかかる問題を解決することはできない。さらに、特許文献２の技術ではストロボ発光を全く禁止してしまうため、ストロボ光をスレーブ発光の補助光として利用する撮影もできなくなる。
【０００６】
本発明の目的は、アダプタ装着時に発生する撮影での弊害を自動的に補正して適正な撮影を可能にしたカメラを提供するものである。
【課題を解決するための手段】
【０００７】
本発明は、カメラボディの前面に設けられたマウント部を利用してアクセサリ用のアダプタが装着可能で、カメラボディに設けられた装置のうち装着されたアダプタによって光路が遮られることにより正常動作が阻害される装置を含むカメラであって、アダプタが装着されたことを検出するアダプタ検出手段と、アダプタ検出手段がアダプタの装着を検出したときに装置の設定を変更する制御手段とを備えることを特徴とする。
【０００８】
ここで、アダプタ検出手段は、マウント部に設けられ、アダプタが装着されたときに切替動作される検知スイッチを備える構成とする。また、マウント部には当該マウント部を覆い隠す化粧リングが装着可能であり、検知スイッチは化粧リングが装着されたときにはオフであり、アダプタが装着されたときにオンするように構成される。
【発明の効果】
【０００９】
本発明によれば、アダプタが装着されたときに、カメラに備えられている測距装置、ファインダ装置、ストロボ装置等のように、装置から発光され、あるいは装置で受光される光がアダプタによって遮られることによって正常動作が阻害される各装置における各種設定を自動制御することが可能であり、アダプタを装着したときの各装置における不適正な動作による弊害を解消し、適正な撮影を確保することを可能にする。
【発明を実施するための最良の形態】
【００１０】
本発明の好ましい形態は、第１の形態として、カメラボディの前面に配設された外部測距装置と、カメラのレンズの光学系内に設けられたＴＴＬ測距装置とを備え、制御手段はアダプタの装着を検出したときに外部測距装置での測距を禁止する構成とする。また、同時に、カメラボディの前面に配設されて外部測距装置とＴＴＬ測距装置の各測距を行うときに補助光を発光する補助光源を備え、制御手段はアダプタの装着を検出したときに補助光源の発光を禁止する構成としてもよい。
【００１１】
第２の形態として、カメラボディの前面に配設された光学ファインダと、カメラボディに設けられて撮影する被写体画像を表示するモニタとを備え、制御手段はアダプタの装着を検出したときに強制的にモニタに被写体画像を表示する構成とする。この場合、制御手段はカメラに対する任意の設定により、モニタに被写体画像を表示した後、当該表示を禁止することが可能な構成としてもよい。
【００１２】
第３の形態として、カメラボディの前面に配設されたストロボ装置を備え、制御手段はアダプタの装着を検出したときにストロボ装置での通常発光を禁止する構成とする。この場合、制御手段は通常発光を禁止する際には当該カメラに設定されている発光モードを判定し、当該モードが発光モードに設定されているときにはソフト発光を行う構成としてもよい。
【実施例１】
【００１３】
次に、本発明の実施例を図面を参照して説明する。実施例１では図１に示したカメラに本発明を適用した例である。図１を再度参照すると、前記カメラボディ１の前面には当該前面に対して出没可能な沈胴式レンズ２が配設され、かつこのカメラボディ１の前面には前記レンズの周囲に沿ってマウント部３が形成されている。このマウント部３には化粧リング１１とアダプタ１２が装着可能である。また、前記カメラボディ１の上面にはレリーズボタン４や各種モードスイッチ５が配設され、前記カメラボディ１の前面の上部領域には、光学ファインダ装置６、外部測距装置７、ストロボ装置８がカメラボディ１の横方向に並んで配設されている。さらに、その近傍には測距を行う際の補助光を発光するＡＦ（自動焦点）補助光源９が配設されている。また、この実施例１は本発明のカメラをデジタルカメラに適用した例を示しており、図１には表れないが、前記カメラボディ１の背面には撮影しようとする被写体を表示し、あるいは撮影した画像を表示することが可能なＬＣＤ（液晶）モニタ１０（図３参照）が配設されている。
【００１４】
図２（ａ），（ｂ）はそれぞれカメラボディ１に化粧リング１１を装着した状態、アダプタ１２を装着した状態の各断面図であり、図１のＡ−Ａ線に沿った箇所の断面構造を示している。図１及び図２を参照すると、前記マウント部３は円周方向に所定の間隔をおいて配列される複数のバヨネット片３１を突出形成したバヨネットリング３２で構成されている。また、前記バヨネットリング３２の一部にはカメラボディ１の内部に連通する開口溝３３が設けられており、この開口溝３３に臨んでカメラボディ内には常態でオフに設定される検知スイッチ１３が内装されており、カメラボディ１内に内装されているカメラ回路の後述するＣＰＵ１５に電気接続されている。
【００１５】
化粧リング１１は前記レンズ２の外径よりも若干大きな内径をして前記バヨネットリング３２を覆い隠すことが可能な円形のリングとして形成されており、その背面には前記バヨネット片３１に係合してマウント部３に嵌合させるためのバヨネットフランジ１１１が円周方向の複数箇所に内径方向に向けて形成されている。前記化粧リング１１を前記マウント部３に装着するときには、化粧リング１１のバヨネットフランジ１１１をバヨネット片３１の間に嵌入させた状態で化粧リング１１を化粧リング１１の軸回りに小角度だけ回動することでバヨネットフランジ１１１をバヨネット片３１とカメラボディ１の前面との間に挟持して、いわゆる周知のバヨネット構造を構成するものである。
【００１６】
アダプタ１２はレンズ２の外径よりも大きな内径で、かつ図２（ｂ）のように、レンズ２が最も突出したときの光軸方向の長さよりも長い筒軸長を有する円筒状に形成され、その基端部には前記化粧リングと同様なバヨネットフランジ１２１が設けられており、化粧リング１１と同様に前記マウント部３に装着することが可能である。ここで、アダプタ１２の基端部の一部には筒軸方向に所定長さのステム１２２が突出されており、アダプタ１２をマウント部３に装着したときには前記ステム１２２は前記マウント部３の開口溝３３を通してカメラボディ１内に進入され、前記検知スイッチ１３をオン状態に切り替えることが可能にされている。前記アダプタ１２の前端縁には雌ネジ１２３が形成されており、この雌ネジ１２３を利用してフィルタあるいはコンバージョンレンズが着脱可能とされている。ここではコンバージョンレンズ１４が取着された例を示しており、コンバージョンレンズ１４は円形をしたレンズ枠１４１内にレンズ１４２が支持されており、このレンズ枠１４１の一方の端部に形成された雄ネジ１４２を前記アダプタ１２の雌ネジ１２３に螺合することで連結されるようになっている。したがって、アダプタ１２の雌ネジ１２３に対して螺合するアクセサリを交換することでフィルタやコンバージョンレンズを任意に装着することが可能である。
【００１７】
レンズ２は沈胴式に構成されており、外筒２１と内筒２２とで構成されるとともに、それぞれレンズ２３，２４を備えている。これらの外筒２１と内筒２２は図には表れないレンズ駆動機構によってカメラボディ１の前面から出没させることで、レンズ２の焦点距離を変化させ、かつ被写体に対する合焦を行う。
【００１８】
図３は前記カメラボディ１に内装されているカメラ回路の主要部の構成を示すブロック回路図である。後述する各部は制御手段としてのＣＰＵ１５によりそれぞれ制御が行われるようになっている。前記レンズ２の光学系で結像した被写体像をＣＣＤ（電荷転送素子）等の撮像素子２１で撮像し、撮像により得られた撮像信号を図示を省略した信号処理回路等によって画像データとした上でメモリ等に記録する一方で、画像データから得られる撮像画像を前記ＬＣＤモニタ１０において表示することが可能とされている。したがって、撮影者はカメラに対する設定を行うことで、撮影しようとする被写体像を前記光学ファインダ装置６で確認し、あるいはＣＰＵ１５の制御によってＬＣＤモニタ１０に被写体の画像を表示し、このＬＣＤモニタ１０によって被写体像を確認することが可能になる。なお、前記光学ファインダ装置６は対物レンズ６１と接眼レンズ６２で簡略に構成した例を示してある。
【００１９】
前記光学ファインダ装置６に隣接配置された外部測距装置７は前記カメラボディの前面上部に配設された測距レンズ７１により被写体像をラインセンサ７２に結像して測距を行うパッシブ測距方式の測距装置として構成されている。また、前記レンズ２の光学系内には当該レンズの光学系で結像した被写体像を利用して測距を行うＴＴＬ方式のＴＴＬ測距装置１６が構成されているが、ここではＴＴＬ測距装置１６は前記撮像素子２１に結像された被写体像のコントラストに基づいて測距を実行する。その上でＣＰＵはこれらの外部測距装置７とＴＴＬ測距装置１６のうち、ＴＴＬ測距装置１６のみ、あるいは両方を併用して測距を行うように構成されている。そして、測距により得られた測距データに基づいてＡＦ機構１７を制御し、その後ＡＦ機構１７を制御し、レンズ２を動かし合焦位置にレンズを合わせる。また、前記外部測距装置７及びＴＴＬ測距装置１６での測距を行う際の補助光を発光するＡＦ補助光源９はＬＥＤ（発光ダイオード）で構成され、ＣＰＵ１５の制御により必要に応じて発光するようになっている。
【００２０】
前記レンズ２の光学系では、ＣＣＤ２１に結像される被写体の明るさをＣＣＤ自体で測光し、ＣＰＵ１５に出力するようになっている。
【００２１】
前記ストロボ装置８は周知の構成であるので具体的な構成の説明は省略するが、前記ＣＰＵ１５によって発光と発光禁止が制御されるようになっている。また、ここではソフト発光と称して、通常の発光量よりも少ない発光量での発光を行うことができるようになっている。このソフト発光でのストロボ撮影では、例えばマクロ撮影のような近距離の被写体に対してストロボ光を弱く照射することで適正な撮影が可能な被写体に対して有効である。
【００２２】
前記ＣＰＵ１５には前記レリーズボタン４によって段階的に動作される測光スイッチ４１及びレリーズスイッチ４２が接続され、この測光スイッチ４１及びレリーズスイッチ４２のタイミングで後述する測光や測距並びに撮像を実行させる。また、前記ＣＰＵ１５には前記検知スイッチ１３が接続されており、マウント部３にアダプタ１２が装着されて検知スイッチ１３がオンされたときにアダプタ１２が装着されたことを認識する。また、前記ＣＰＵ１２には前記各種モードスイッチ５が接続されており、特に本発明に関係するモードとして、ＣＰＵ１５によってストロボ発光が禁止される場合でもストロボ発光を強制発光させるための強制発光モードがある。
【００２３】
以上の構成のカメラによれば、図２（ａ）に示したように、マウント部３にアダプタ１２が装着されていないときには、通常はマウント部３に化粧リング１１が装着され、マウント部３を化粧リング１１によって覆い隠している。この状態では検知スイッチ１３はオフの状態にあり、ＣＰＵ１５はこれを認識する。一方、フィルタやコンバージョンレンズ等のアクセサリを使用する場合には、図２（ｂ）に示したように、化粧リング１１を取り外し、代わりにアダプタ１２を装着し、このアダプタ１２に例えばコンバージョンレンズ１４を取着する。アダプタ１２の装着によりステム１２２が検知スイッチ１３を操作し、検知スイッチ１３はオンになる。ＣＰＵ１５はこの検知スイッチ１３のオンを認識し、次のように各部の制御を行う。
【００２４】
（Ａ）測距装置の制御
図４は測距装置の制御を示すフローチャートであり、ここでは外部測距装置７とＴＴＬ測距装置１６の設定を制御する。ＣＰＵ１５は検知スイッチ１３のオン、オフを判定し（Ｓ１０１）、検知スイッチ１３がオフのとき、すなわちアダプタ１２が装着されていない場合には通常の測距動作を行うように設定する。この通常の測距動作は、外部測距装置７による測距動作とＴＴＬ測距装置１６による測距動作とを併用する動作であり、例えば、先に外部測距装置７での測距を行い、得られた測距データからピント位置までＡＦレンズを迅速に移動させるとともに、ＴＴＬ測距装置１６での測距を行った測距データからＡＦレンズの位置を微調整することによりレンズ合焦時間の短縮を図っている（Ｓ１０２）。この測距はレリーズボタン４の押し込みに伴う測光スイッチ４１のオンにより被写体の測光と同時に行われ、得られた測距データに基づいて被写体の合焦を行ない、レリーズボタン４のさらなる押し込みによるレリーズスイッチ４２のオンを待って被写体の撮像、いわゆるＡＦ撮影を行っている（Ｓ１０４）。このように外部測距装置７での測距を優先して行うことでＴＴＬ測距装置１６での測距動作を可及的に削減し、短時間での合焦を行うことができる。
【００２５】
一方、ステップＳ１０１において検知スイッチ１３がオンのとき、すなわちアダプタ１２が装着されているときには、カメラボディ１の前面にレンズ２を覆うように太径の長いアダプタ１２が突出状態に存在されることになるため、外部測距装置７のレンズ７１の受光域内にアダプタ１２ないしこれに取着されたコンバージョンレンズ１４が配置されることになる。そのため外部測距装置７ではレンズ７１を通して被写体像をラインセンサ７２に結像することができなくなり、正常な測距動作の妨げになる。そこで、ＣＰＵ１５は外部測距装置７での測距を禁止し、ＴＴＬ測距装置１６のみでの測距を行うよう設定する（Ｓ１０３）。その後は、ＴＴＬ測距装置１６から得られた測距データに基づいて被写体の合焦を行い、ＡＦ撮影を行なう（Ｓ１０４）。
【００２６】
このようにＴＴＬ測距装置１６からの測距データを利用することで、アダプタ１２を装着したときの外部測距装置７から信頼性のない測距データが出力された場合でも適正なＡＦ制御を実行することができる。因みに、外部測距装置からの測距データに基づいてＡＦ制御を行う場合には、その信頼性のない測距データのために適正なＡＦ制御を行うための時間がかかることになる。
【００２７】
（Ｂ）測距補助光の制御
図５は測距補助光の制御を示すフローチャートであり、前記（Ａ）の測距制御に際し、被写体のコントラストが低く、高い測距精度が得られない場合にＡＦ補助光源を発光させる。ＣＰＵ１５は、検知スイッチ１３のオン、オフを判定し（Ｓ２０１）、検知スイッチ１３がオフのとき、すなわちアダプタ１２が装着されていない場合には通常のＡＦ補助光制御を実行する。この通常のＡＦ補助光制御は、外部測距装置７及びＴＴＬ測距装置１６のいずれの測距時においても、測光素子１８において測光した被写体の明るさが所定以下のときにＡＦ補助光源９を発光させる（Ｓ２０２）。発光されたＡＦ補助光は被写体に照射されて被写体の輝度を高めるため、外部測距装置７及びＴＴＬ測距装置１６における測距時のコントラストが高められ、測距精度を高めることができる。
【００２８】
一方、ステップＳ２０１において検知スイッチ１３がオンのとき、すなわちアダプタ１２が装着されているときには、カメラボディ１の前面に存在するアダプタ１２によってＡＦ補助光源９から出射されるＡＦ補助光の一部が遮光されて被写体のＡＦ測距エリアに照射されない状態になり、補助光としての機能がなくなる。そこで、ＣＰＵ１５はＡＦ補助光源９の発光を禁止する（Ｓ２０３）。したがって、アダプタ１２の装着時にはＡＦ補助光を発光しないため節電できる。得られた測距データに基づいて被写体の合焦を行い、ＡＦ撮影を行なうことは図４のフローと同じである（Ｓ２０４）。
【００２９】
（Ｃ）ＬＣＤモニタの制御
図６は撮影対象の被写体を確認する際のＬＣＤモニタ１０の制御を示すフローチャートである。ＣＰＵ１５は、検知スイッチ１３のオン、オフを判定し（Ｓ３０１）、検知スイッチ１３がオンのとき、すなわちアダプタ１２が装着されているときには、カメラボディ１の前面に装着されたアダプタ１２によって光学ファインダ装置６を透して見る被写体の一部が陰になって確認できなくなる。そのため、ＣＰＵ１５はモニタ表示モードの設定いかんにかかわらず強制的にＬＣＤモニタ１０での表示をオンに設定する（Ｓ３０２）。これにより、ＬＣＤモニタ１０には被写体像が表示されることになり、撮影者は何らの設定操作を行うことなくＬＣＤモニタ１０を利用して画面設定を行うことができる（Ｓ３０３）。勿論、撮影者のスイッチ操作によってＬＣＤモニタ１０での表示を強制的に禁止することは可能である。
【００３０】
一方、ステップＳ３０１において検知スイッチ１３がオフのときには、直ちに画面設定ステップＳ３０３に行く。したがって、ＬＣＤモニタ１０でのモニタ表示は行われず、撮影者は光学ファインダ装置６のみを利用して被写体を確認することになる。この場合にはＬＣＤモニタ１０の表示に伴う消費電力を低減できる上で有利である。
【００３１】
（Ｄ）ストロボ発光の制御
図７はストロボ発光装置８の制御を示すフローチャートである。ＣＰＵ１５は、検知スイッチ１３のオン、オフを判定し（Ｓ４０１）、検知スイッチ１３がオフのとき、すなわちアダプタ１２が装着されていない場合には通常のストロボ発光制御フローとする。この通常のストロボ発光フローは、各種モードスイッチ５により設定されたストロボモードに従ってストロボを発光するものであり、設定されているストロボモードを判定し（Ｓ４０２）、判定したストロボモードが通常発光モードのときには通常発光による撮影を行なう（Ｓ４０５）。このとき、測光素子１８で測光した被写体の明るさに基づいて発光を行い、あるいは発光を禁止するものであることは言うまでもない。また、判定したストロボモードが発光禁止モードのときには発光を禁止した撮影を行う（Ｓ４０６）。
【００３２】
一方、ステップＳ４０１において検知スイッチ１３がオンのとき、すなわちアダプタ１２が装着されているときには、カメラボディ１の前面に装着されたアダプタ１２によってストロボ装置８から発光する光の一部が遮光されて被写体を照明しなくなる。そのため、ＣＰＵ１５は強制的に発光を制限するモードに設定する（Ｓ４０３）。その上で、各種モードスイッチ５により設定されているストロボモードを判定し（Ｓ４０４）、判定したストロボモードが発光禁止モードのときにはステップＳ４０６の場合と同様に発光を禁止した撮影を実行する（Ｓ４０７）。また、判定したストロボモードが通常発光モードのときにはソフト発光による撮影を行なう（Ｓ４０８）。このソフト発光による撮影は、前述したように通常の発光量よりも少ない発光量での発光を行うものであり、被写体における明暗のコントラストが低い照明での撮影となる。例えば、本体の発光を受光し、それに連動して発光する（スレーブ発光）外部ストロボを使用するとき、外部ストロボより本体が弱い発光（ソフト発光）すれば、アダプタのけられによる影を外部ストロボで消すことができ有効である。
【００３３】
なお、図示は省略するが、スレーブ発光ではなく本実施例のカメラに外部ストロボを有線接続し、外部ストロボを発光して撮影を行う撮影モードに設定したときには、当該外部ストロボで発光された光がアダプタによって遮光されるおそれはないため、外部ストロボを利用しての通常発光での撮影が実行できるように構成できることは言うまでもない。
【００３４】
本実施例は沈胴式のレンズを備えるカメラに適用したが、固定レンズを備えるカメラにおいても本実施例のような着脱可能なアダプタを備えるカメラであれば同様に適用することが可能である。また、本発明は撮像素子を用いたデジタルカメラに限られるものではなく、銀塩フィルムを用いたカメラについても同様に適用することが可能である。
【００３５】
また、本実施例ではアダプタを装着するマウント部をバヨネット構造で構成した例を示しているが、アダプタをカメラボディに対して着脱する構造であればバヨネット構造に限られるものではない。
【００３６】
また、本実施例では、アダプタを装着することによって正常な動作に影響を受ける装置として測距装置、光学ファインダ、ストロボ装置の各制御についての構成例を示したが、アダプタの装着によっても影響を受けることがない装置であれば本実施例のような制御を省略したカメラとして構成することが可能である。
【図面の簡単な説明】
【００３７】
【図１】本発明が適用されるカメラの外観斜視図である。
【図２】化粧リングとアダプタを装着した状態における図１のＡ−Ａ線に沿う断面図である。
【図３】実施例のカメラの主要な回路構成を示すブロック回路図である。
【図４】ＡＦ撮影における測距装置の制御フローを示すフローチャートである。
【図５】ＡＦ撮影における測距装置の補助光の制御フローを示すフローチャートである。
【図６】ＬＣＤモニタを含むファインダ装置の制御フローを示すフローチャートである。
【図７】ストロボ装置の制御フローを示すフローチャートである。
【符号の説明】
【００３８】
１  カメラボディ
２  レンズ
３  マウント部
４  レリーズボタン
５  各種モードスイッチ
６  光学ファインダ装置
７  外部測距装置
８  ストロボ装置
９  ＡＦ補助光源
１０  ＬＣＤモニタ
１１  化粧リング
１２  アダプタ
１３  検知スイッチ
１４  コンバージョンレンズ
１５  ＣＰＵ
１６  ＴＴＬ測距装置
１７  ＡＦ機構
【図１】
2005316227.tif 000003
【図２】
2005316227.tif 000004
【図３】
2005316227.tif 000005
【図４】
2005316227.tif 000006
【図５】
2005316227.tif 000007
【図６】
2005316227.tif 000008
【図７】
2005316227.tif 000009